(57)【要約】      （修正有）【課題】回転式ボタンユニットと押しボタンユニットをそれぞれ独立に設置することができるボタンの構造を提供する。【解決手段】回転式ボタンユニット２には受け座２１と回転式ボタン２２が含まれ、受け座２１の中央には貫通孔２１１が設けられ、回転式ボタン２２は回転自在に受け座２１の一方に設置され、回転式ボタン２２には通孔２２１、複数個の凹欠部２２３、複数個の第一誘導部材２２４と第二誘導部材２２５が設けられ、通孔は貫通孔に対応するように形成され、凹欠部は回転式ボタンが受け座に面する一方に設置され、第一誘導部材はそれぞれ凹欠部の内に設置されて回転の通路を有し、第二誘導部材は第一誘導部材の回転の通路の一部分に対応する。押しボタンユニット３には押しボタン３２と押圧部材３１が含まれ、押しボタンは活動自在に通孔に設置され、押圧部材に当接して押圧するように構成されている。【選択図】図１
0003148338.tif 000002
【実用新案登録請求の範囲】
【請求項１】
回転式ボタンユニット（２）および押しボタンユニット（３）を有する回転式ボタンの構造において、回転式ボタンユニット（２）には受け座（２１）と回転式ボタン（２２）が含まれ、受け座（２１）の中央には貫通孔（２１１）が設けられ、回転式ボタン（２２）は受け座（２１）の一方に回転自在に設置され、回転式ボタン（２２）には通孔（２２１）、複数個の凹欠部（２２３）、複数個の第一誘導部材（２２４）および複数個の第二誘導部材（２２５）が設けられ、通孔（２２１）は貫通孔（２１１）に対応するように形成され、複数個の凹欠部（２２３）は回転式ボタン（２２）が受け座（２１）に面する一方に設置され、複数個の第一誘導部材（２２４）はそれぞれ複数個の凹欠部（２２３）内に設置されるとともに、回転の通路を有するように形成され、複数個の第二誘導部材（２２５）は複数個の第一誘導部材（２２４）の回転の通路の一部分に対応するように形成され、押しボタンユニット（３）には押しボタン（３２）と押圧部材（３１）が含まれ、押しボタン（３２）は活動自在に通孔（２２１）に設置され、そして押圧部材（３１）に当接して押圧するように形成されることを特徴とする回転式ボタンの構造。
【請求項２】
受け座（２１）には他に延伸部（２１２）が設けられ、延伸部（２１２）は貫通孔（２１１）の周縁から回転式ボタン（２２）の方向へ向って軸方向に延伸するように形成され、そして通孔（２２１）は延伸部（２１２）が結合するのに用いられることを特徴とする請求項１記載の回転式ボタンの構造。
【請求項３】
延伸部（２１２）の上には階段部（２１２ａ）が形成され、そして押しボタン（３２）の外周縁には半径方向に延伸するようにフランジ（３２２）が形成され、フランジ（３２２）は階段部（２１２ａ）に係合するように形成されることを特徴とする請求項２記載の回転式ボタンの構造。
【請求項４】
受け座（２１）には他に位置決め部（２１３）が設けられ、そして回転式ボタン（２２）の外周縁には他に複数個の係止部（２２２）が設けられ、係止部（２２２）は位置決め部（２１３）が係止して位置決めするのに用いられることを特徴とする請求項１記載の回転式ボタンの構造。
【請求項５】
複数個の係止部（２２２）はそれぞれ複数個の凹欠部（２２３）に対応するように形成され、そして互いに対応する係止部（２２２）と凹欠部（２２３）は回転式ボタン（２２）の同じ半径方向に位置するように形成されることを特徴とする請求項４記載の回転式ボタンの構造。
【請求項６】
受け座（２１）には孔（２１４）が設けられ、そして第二誘導部材（２２５）は孔（２１４）の内に位置するように形成されることを特徴とする請求項１記載の回転式ボタンの構造。
【請求項７】
本体（１）、回転式ボタンユニット（２）および押しボタンユニット（３）を有する回転式ボタンの構造において、本体（１）には側面が形成され、回転式ボタンユニット（２）は本体（１）の上記側面に設置され、回転式ボタンユニット（２）には受け座（２１）と回転式ボタン（２２）が含まれ、受け座（２１）の中央には貫通孔（２１１）が設けられ、回転式ボタン（２２）は回転自在に受け座（２１）の一方に設置され、回転式ボタン（２２）には通孔（２２１）、複数個の凹欠部（２２３）、複数個の第一誘導部材（２２４）と複数個の第二誘導部材（２２５）が設けられ、通孔（２２１）は貫通孔（２１１）に対応するように形成され、複数個の凹欠部（２２３）は回転式ボタン（２２）が受け座（２１）に面する一方に設置され、複数個の第一誘導部材（２２４）はそれぞれ複数個の凹欠部（２２３）の内に設置されるとともに、回転の通路を有するように形成され、複数個の第二誘導部材（２２５）は上記側面に設置されるとともに、複数個の第一誘導部材（２２４）の回転の通路の一部分に対応するように形成され、押しボタンユニット（３）には押しボタン（３２）と押圧部材（３１）が含まれ、押しボタン（３２）は活動自在に通孔（２２１）に設置され、そして押圧部材（３１）に当接して押圧するように形成されることを特徴とする回転式ボタンの構造。
【請求項８】
受け座（２１）には他に延伸部（２１２）が設けられ、延伸部（２１２）は貫通孔（２１１）の周縁から回転式ボタン（２２）の方向へ向って軸方向に延伸するように形成され、そして通孔（２２１）は延伸部（２１２）が結合するのに用いられることを特徴とする請求項７記載の回転式ボタンの構造。
【請求項９】
延伸部（２１２）の上には階段部（２１２ａ）が形成され、そして押しボタン（３２）の外周縁には半径方向に延伸するようにフランジ（３２２）が形成され、フランジ（３２２）は階段部（２１２ａ）に係合するように形成されることを特徴とする請求項８記載の回転式ボタンの構造。
【請求項１０】
受け座（２１）には他に位置決め部（２１３）が設けられ、そして回転式ボタン（２２）の外周縁には他に複数個の係止部（２２２）が設けられ、係止部（２２２）は位置決め部（２１３）が係止して位置決めするのに用いられることを特徴とする請求項７記載の回転式ボタンの構造。
【請求項１１】
複数個の係止部（２２２）はそれぞれ複数個の凹欠部（２２３）に対応するように形成され、そして互いに対応する係止部（２２２）と凹欠部（２２３）は回転式ボタン（２２）の同じ半径方向に位置するように形成されることを特徴とする請求項１０記載の回転式ボタンの構造。
【請求項１２】
受け座（２１）には孔（２１４）が設けられ、そして第二誘導部材（２２５）は孔（２１４）の内に位置するように形成されることを特徴とする請求項７記載の回転式ボタンの構造。
【考案の詳細な説明】
【技術分野】
【０００１】
本考案は、回転式ボタンの構造に関するもので、特に回転式ボタンの構造の中の回転式ボタンユニットと押しボタンユニットをそれぞれ独立に設置し、さらに非接触式の制御構造を利用して回転式ボタンのモジュールを設計することができる回転式ボタンの構造に係るものである。
【背景技術】
【０００２】
市場によく見られる従来の回転式ボタンの構造として、例えば図５、６、７と９に示すように基座９１、調整ユニット９２と制御ボタン９３が含まれる。調整ユニット９２は基座９１に設置され、制御ボタン９３は調整ユニット９２に結合される。調整ユニット９２には回路板９２１、制御座９２２と調整ボタン９２３が含まれる。制御座９２２は基座９１に結合され、そして回路板９２１と互いに連結するように形成される。調整ボタン９２３は枢転自在に制御座９２２に結合され、そして調整ボタン９２３は制御座９２２に対して軸方向へ移動するように弾性的に復位することができる。制御ボタン９３は調整ボタン９２３に結合される。そして、従来の回転式ボタンの構造が音声影像プレーヤーに設置される時、使用者は先ず制御ボタン９３を基座９１に向って押圧することにより、上記音声影像プレーヤーの電源を入れ、それから制御ボタン９３を回転することにより、調整ボタン９２３が制御座９２２に対して回転するのを連動することができるため、上記音声影像プレーヤーを調整することができ、例えば影像の早送りまたは音量の大きさ等の功能を調整するようにとしたものがある。
【０００３】
また、従来の回転式ボタンの構造として、中華民国公告第Ｍ２５０２８９号「有感式段差の回転盤」においては環状座体と回転ボタンが含まれる。上記環状座体の外円の周面には複数個の位置決め凹欠部が設けられ、そして二個の隣接する位置決め凹欠部の間には検知スイッチが設けられる。上記回転ボタンは環状体からなるとともに、同軸で上記環状座体の外に設けられ、上記回転ボタンの内円の周面には少なくとも一個の突出点が設けられ、上記突出点を上記環状座体の対応する上記位置決め凹欠部の中に突出させ、そして上記回転ボタンを回転し、上記内円の周面に設けられる突出点を上記対応する位置決め凹欠部から隣接の他の凹欠部まで移動させる時、上記二個の隣接する位置決め凹欠部の間に設けられる検知スイッチを接触することにより、差動が生じて分段に起動の信号を入力することができるようにとしたものがある（例えば、特許文献１を参照）。
【特許文献１】中華民国公告第Ｍ２５０２８９号
【考案の開示】
【考案が解決しようとする課題】
【０００４】
上述した従来の回転式ボタンの構造において、一般として下記の問題点を有している。例えば、通常として制御ボタン９３には文字模様ａが標示されることにより、使用者が制御ボタン９３の功能を見分けることができるが、制御ボタン９３は同時に押圧または回転の方式により制御を行うことができるため、使用者が制御ボタン９３を回転した後、制御ボタン９３の回転によって文字模様ａが図９に示すように斜めになったりまたは倒立になったりするため、使用者が文字模様ａを見分け難くなり、使用上に不便になるという問題点を有する。また、制御座９２２と調整ボタン９２３は接触式の制御部材からなるため、仮に制御座９２２と調整ボタン９２３が酸化になったりまたは錆びたりすると、使用時において制御座９２２と調整ボタン９２３との間に接触が悪くなったりまたは動かなくなったりするという問題点を有する。
【０００５】
また、上述した中華民国公告第Ｍ２５０２８９号「有感式段差の回転盤」において、一般として下記の問題点を有している。例えば、上記回転ボタンの構造は依然として接触の方式によって上記検知スイッチを接触するため、上記突出点または凹欠部が摩擦によって削られると、接触が悪くなるため、使用上の寿命が短くなったり、制御が悪くなったりするという問題点を有する。このように、上記のような従来の回転式ボタンの構造をさらに改良しなければならない。
【０００６】
本考案はこのような問題点に鑑みて考案したものであって、その第一な目的とするところは、回転式ボタンの構造の中の回転式ボタンユニットと押しボタンユニットをそれぞれ独立に設置し、さらに非接触式による制御の構造を利用して回転式ボタンのモジュールを設計することにより、上述した従来の回転式ボタンの構造の問題点を克服する。
【０００７】
上述の考案の目的を達成するべく、本考案においては回転式ボタンユニットに押しボタンユニットを収容するための貫通孔を設けることにより、上記回転式ボタンユニットと押しボタンユニットは互いに影響することなくそれぞれ独立に設置することができる。その他に、上記回転式ボタンユニットは磁力誘導または光誘導による方式で制御を行うことにより、部材が酸化になったりまたは錆びたりするのを避けることができるため、回転がし難くなったり接触が悪くなったりするという問題点はなくなる。
【課題を解決するための手段】
【０００８】
上記目的を達成するために、本考案による回転式ボタンの構造は、下記のようになるものである。すなわち、
回転式ボタンユニットおよび押しボタンユニットを有する。回転式ボタンユニットには受け座と回転式ボタンが含まれる。受け座の中央には貫通孔が設けられる。回転式ボタンは回転自在に受け座の一方に設置され、回転式ボタンには通孔、複数個の凹欠部、複数個の第一誘導部材と複数個の第二誘導部材が設けられ、通孔は貫通孔に対応するように形成され、複数個の凹欠部は回転式ボタンが受け座に面する一方に設置され、複数個の第一誘導部材はそれぞれ複数個の凹欠部の内に設置されるとともに、回転の通路を有するように形成され、複数個の第二誘導部材は複数個の第一誘導部材の回転の通路の一部分に対応するように形成される。押しボタンユニットには押しボタンと押圧部材が含まれ、押しボタンは活動自在に通孔に設置され、そして押圧部材に当接して押圧するように形成される。
【０００９】
また、本考案による回転式ボタンの構造は、受け座には他に延伸部が設けられ、延伸部は貫通孔の周縁から回転式ボタンの方向へ向って軸方向に延伸するように形成され、そして通孔は延伸部が結合するのに用いられることもできる。また、延伸部の上には階段部が形成され、そして押しボタンの外周縁には半径方向に延伸するようにフランジが形成され、フランジは階段部に係合するように形成されることもできる。また、受け座には他に位置決め部が設けられ、そして回転式ボタンの外周縁には他に複数個の係止部が設けられ、係止部は位置決め部が係止して位置決めするのに用いられることもできる。また、複数個の係止部はそれぞれ複数個の凹欠部に対応するように形成され、そして互いに対応する係止部と凹欠部は回転式ボタンの同じ半径方向に位置するように形成されることもできる。また、受け座には孔が設けられ、そして第二誘導部材は孔の内に位置するように形成されることもできる。
【００１０】
また、本考案による回転式ボタンの構造は、本体、回転式ボタンユニットおよび押しボタンユニットを有する。本体には側面が形成される。回転式ボタンユニットは本体の側面に設置され、回転式ボタンユニットには受け座と回転式ボタンが含まれる。受け座の中央には貫通孔が設けられる。回転式ボタンは回転自在に受け座の一方に設置され、回転式ボタンには通孔、複数個の凹欠部、複数個の第一誘導部材と複数個の第二誘導部材が設けられ、通孔は貫通孔に対応するように形成され、複数個の凹欠部は回転式ボタンが受け座に面する一方に設置され、複数個の第一誘導部材はそれぞれ複数個の凹欠部の内に設置されるとともに、回転の通路を有するように形成され、複数個の第二誘導部材は側面に設置されるとともに、複数個の第一誘導部材の回転の通路の一部分に対応するように形成される。押しボタンユニットには押しボタンと押圧部材が含まれ、押しボタンは活動自在に通孔に設置され、そして押圧部材に当接して押圧するように形成される。
【００１１】
さらに、本考案による回転式ボタンの構造は、受け座には他に延伸部が設けられ、延伸部は貫通孔の周縁から回転式ボタンの方向へ向って軸方向に延伸するように形成され、そして通孔は延伸部が結合するのに用いられることもできる。また、延伸部の上には階段部が形成され、そして押しボタンの外周縁には半径方向に延伸するようにフランジが形成され、フランジは階段部に係合するように形成されることもできる。また、受け座には他に位置決め部が設けられ、そして回転式ボタンの外周縁には他に複数個の係止部が設けられ、係止部は位置決め部が係止して位置決めするのに用いられることもできる。また、複数個の係止部はそれぞれ複数個の凹欠部に対応するように形成され、そして互いに対応する係止部と凹欠部は回転式ボタンの同じ半径方向に位置するように形成されることもできる。また、受け座には孔が設けられ、そして第二誘導部材は孔の内に位置するように形成されることもできる。
【考案の効果】
【００１２】
本考案の回転式ボタンの構造によれば、回転式ボタンユニットに押しボタンユニットを収容するための貫通孔を設けることにより、回転式ボタンユニットと押しボタンユニットは互いに影響することなくそれぞれ独立に設置することができるという利点がある。
【００１３】
本考案の回転式ボタンの構造によれば、回転式ボタンユニットは磁力誘導または光誘導による方式で制御を行うことにより、部材が酸化になったりまたは錆びたりするのを避けることができるため、回転がし難くなったり接触が悪くなったりするという問題点はなくなるという利点がある。
【考案を実施するための最良の形態】
【００１４】
本考案の実施形態について、以下、図面を参照して説明する。
【００１５】
図１は本考案の実施形態の回転式ボタンの構造を示す分解斜視図であり、図２は本考案の実施形態の回転式ボタンの構造を示す側面図である。図１、２を参照すると、本考案の実施形態の回転式ボタンの構造には本体１、回転式ボタンユニット２および押しボタンユニット３が含まれ、回転式ボタンユニット２と押しボタンユニット３はそれぞれ本体１の上に設置される。
【００１６】
再び図１、２を参照すると、本考案の実施形態の本体１には基座１１、収容部１２と蓋板１３が含まれる。収容部１２は基座１１の表面に設置され、収容部１２には結合孔１２１が設けられる。蓋板１３は収容部１２を蓋するのに用いられる。
【００１７】
再び図１、２を参照すると、本考案の実施形態の回転式ボタンユニット２には受け座２１と回転式ボタン２２が含まれる。受け座２１は収容部１２の内に設置される。受け座２１には貫通孔２１１、延伸部２１２、位置決め部２１３と孔２１４が設けられる。例を挙げると、貫通孔２１１は受け座２１の中央に設置され、貫通孔２１１には貫通孔２１１の周縁から本体１より遠く離れる方向へ向って軸方向に延伸するように延伸部２１２が形成され、延伸部２１２の上には階梯部２１２ａが形成される。位置決め部２１３は受け座２１の周縁に近付くように形成される。孔２１４は貫通孔２１１と位置決め部２１３の間に位置するように形成される。
【００１８】
再び図１、２を参照すると、本考案の実施形態の回転式ボタン２２は回転自在に受け座２１の一方に設置され、回転式ボタン２２には通孔２２１、複数個の係止部２２２、複数個の凹欠部２２３、複数個の第一誘導部材２２４と複数個の第二誘導部材２２５が設けられる。
【００１９】
通孔２２１は回転式ボタン２２の中央に設置され、そして貫通孔２１１に対応するように形成される。貫通孔２１１の周縁は受け座２１の延伸部２１２に結合される。複数個の係止部２２２は等間隔で回転式ボタン２２の外周縁に設置され、係止部２２２は受け座２１の位置決め部２１３が係止して位置決めするのに用いられる。複数個の凹欠部２２３は貫通孔２１１を囲んで等間隔で回転式ボタン２２が受け座２１に面する一方に設置され、そして複数個の凹欠部２２３は半径方向においてそれぞれ複数個の係止部２２２に対応するように形成されるため、互いに対応する係止部２２２と凹欠部２２３は回転式ボタン２２の同じ半径方向に位置するように形成され、そしてそれぞれの凹欠部２２３の回転の通路は部分的に受け座２１の孔２１４に対応するように形成される。
【００２０】
複数個の第一誘導部材２２４はそれぞれ複数個の凹欠部２２３の中に設置される。第二誘導部材２２５は収容部１２の内に設置され、そして孔２１４に対応するように形成される。受け座２１が収容部１２に結合される時、第二誘導部材２２５は受け座２１の孔２１４の内に位置するように形成される。
【００２１】
第二誘導部材２２５は制御回路と互いに連結するように形成される。例を挙げると、本考案の回転式ボタンユニット２は非接触誘導による制御の模式を選択して設計を行うもので、例えば光誘導または磁力誘導を選択して制御を行う。本考案の実施形態においては、磁力誘導の方式を選択して制御を行うものであり、そのために第一誘導部材２２４は選択的に磁力部材からなり、そして第二誘導部材２２５は選択的にホール誘導部材からなる。
【００２２】
再び図１、２を参照すると、本考案の実施形態の押しボタンユニット３には押圧部材３１と押しボタン３２が含まれる。押圧部材３１は本体１の収容部１２の結合孔１２１に設置されることにより、押圧部材３１は貫通孔２１１に対応するように形成され、そして押圧部材３１は上記制御回路と互いに連結するように形成される。押しボタン３２は活動自在に回転式ボタンユニット２の貫通孔２１１に結合される。押しボタン３２には押圧部３２１とフランジ３２２が設けられ、押圧部３２１は押しボタン３２の底面の中央から本体１に向って延伸するように形成されることにより、押圧部材３１を押圧するように形成される。フランジ３２２は押しボタン３２の外周縁から半径方向に向って延伸するように形成されることにより、階段部２１２ａに対応して係合するように形成される。
【００２３】
図３は本考案の実施形態の回転式ボタンの構造が押しボタンとして使用する状態の説明図であり、図４は本考案の実施形態の回転式ボタンの構造を示す平面図であり、図５は本考案の実施形態の回転式ボタンの構造が回転式ボタンとして使用する状態の説明図である。図１、２、３、４、５を参照すると、本考案の実施形態の回転式ボタンの構造を使用する時、例を挙げると、本考案の実施形態の回転式ボタンユニット２は影像プレーヤーの影像の早送りまたは逆戻しを制御するのに用いられ、そして押しボタンユニット３は上記影像プレーヤーの電源スイッチを制御するのに用いられる。
【００２４】
図３を参照すると、使用者が押しボタン３２を押圧することにより、押圧部材３１を押圧して電源を入れることができる。また、図４を参照すると、係止部２２２が位置決め部２１３に位置決めされる時、その内の一個の第一誘導部材２２４は第二誘導部材２２５に対応するように形成される。さらに、図５を参照すると、使用者が影像を早送りまたは逆戻しを行おうとする時、回転式ボタン２２を回転させるだけで、係止部２２２を位置決め部２１３の位置決めから離脱させることにより、元々第二誘導部材２２５と対応する第一誘導部材２２４も回転式ボタン２２の回転により、もう一個の係支部２２２が位置決め部２１３によって位置決めされるまで移動し続け、そして第二誘導部材２２５も同時にもう一個の第一誘導部材２２４に対応するように形成されることにより、電磁による誘導が発生され、そして信号が制御回路まで伝送されるため、影像に早送りまたは逆戻しが生じるのを制御することができる。このように、回転式ボタン３２の表面に文字模様ｂが設置されても、回転式ボタン３２の回転により文字模様ｂが斜めになったりまたは倒立になったりすることなく、見分け難いという問題点を克服することができる。
【産業上の利用可能性】
【００２５】
上述の如く、本考案の回転式ボタンの構造によれば、回転式ボタン２２と押しボタン３２をそれぞれ独立に設置することにより、押しボタン３２は回転式ボタン２２に従って同期に回転することがないため、押しボタン３２の上の文字模様ｂが斜めになったりまたは倒立になったりすることなく、使用者が文字模様ｂを見分け難く、使用上に不便になるという問題点はなくなる。また、押しボタン３２は回転式ボタン２２の内に設置されることにより、回転式ボタンの構造が占める空間を狭く抑えることができる。さらに、位置決め部２１３と係止部２２２の設置により、回転式ボタン２２の調整の安定性を増やすことができ、そして非接触式による制御の模式によれば、接触式による制御の模式で部材が酸化になったりまたは錆びたりするのを避けることができるため、回転がし難くなったり接触が悪くなったりするという問題点はなくなる。
【００２６】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２７】
【図１】本考案の実施形態の回転式ボタンの構造を示す分解斜視図である。
【図２】本考案の実施形態の回転式ボタンの構造を示す側面図である。
【図３】本考案の実施形態の回転式ボタンの構造を押しボタンとして使用する状態を示す説明図である。
【図４】本考案の実施形態の回転式ボタンの構造を示す平面図である。
【図５】本考案の実施形態の回転式ボタンの構造を回転式ボタンとして使用する状態を示す説明図である。
【図６】従来の回転式ボタンの構造を示す断面図である。
【図７】従来の回転式ボタンの構造による使用状態を示す説明図である。
【図８】従来の回転式ボタンの構造を示す断面図である。
【図９】従来の回転式ボタンの構造による使用状態を示す説明図である。
【符号の説明】
【００２８】
１    本体
１１    基座
１２    収容部
１２１    結合孔
１３    蓋板
２    回転式ボタンユニット
２１    受け座
２１１    貫通孔
２１２    延伸部
２１２ａ    階段部
２１３    位置決め部
２１４    孔
２２    回転式ボタン
２２１    通孔
２２２    係止部
２２３    凹欠部
２２４    第一誘導部材
２２５    第二誘導部材
３    押しボタンユニット
３１    押圧部材
３２    押しボタン
３２１    押圧部
３２２    フランジ
９１    基座
９２    調整ユニット
９２１    回路板
９２２    制御座
９２３    調整ボタン
９３    制御ボタン
ａ    文字模様
ｂ    文字模様
【図１】
0003148338.tif 000003
【図２】
0003148338.tif 000004
【図３】
0003148338.tif 000005
【図４】
0003148338.tif 000006
【図５】
0003148338.tif 000007
【図６】
0003148338.tif 000008
【図７】
0003148338.tif 000009
【図８】
0003148338.tif 000010
【図９】
0003148338.tif 000011